(57)【要約】【課題】少数冊数の製本を容易に行うことが可能な印刷システムを提供することを目的とする。【解決手段】形成された冊子を断裁したときに断裁後の複数の冊子がそれぞれ、同一の冊子となるように、用紙に対する画像データの配置及び用紙束に対する前記後処理の処理位置を制御する。【選択図】図１１
2010001090.tif 000002
【特許請求の範囲】
【請求項１】
画像データに基づいて用紙に画像を形成する画像形成手段と、
前記画像形成手段で画像形成された用紙を束ねて用紙束を形成し、形成した用紙束に後処理を行って冊子を作製する後処理手段と、
ユーザが後処理の設定を行う入力手段と、
制御手段と、を有し
前記制御手段は、前記入力手段により設定された後処理が、複数冊子作成の設定である場合には、
形成された冊子を断裁したときに断裁後の複数の冊子がそれぞれ、同一の冊子となるように、用紙に対する画像データの配置及び用紙束に対する前記後処理の処理位置を制御することを特徴とする印刷システム。
【請求項２】
前記後処理手段は、用紙束の端部にステイプル処理する平綴じ手段であることを特徴とする請求項１に記載の印刷システム。
【請求項３】
前記後処理手段は、折り目を付けた用紙束を形成し、該折り目付近にステイプル処理する中綴じ手段であることを特徴とする請求項１に記載の印刷システム。
【請求項４】
前記後処理手段は、折り目を付けた用紙束を形成する中折り手段であることを特徴とする請求項１に記載の印刷システム。
【請求項５】
前記後処理手段は、用紙束の一方の端面に糊を塗布し、塗布した面に表紙を貼り付ける糊付け製本手段であることを特徴とする請求項１に記載の印刷システム。
【請求項６】
前記制御手段は、断裁後の複数の冊子における、断裁面と前記後処理の処理位置との位置関係が同一となるように、用紙に対する画像データの配置を行うことを特徴とする請求項１乃至５のいずれかに記載の印刷システム。
【請求項７】
画像データに基づいて用紙に画像を形成する画像形成手段と、
前記画像形成手段で画像形成された用紙を束ねて用紙束を形成し、形成した用紙束に後処理を行って冊子を作製する後処理手段と、
後処理の設定情報を取得する設定入力手段と、
を有する印刷システムに対し、コンピュータを利用して冊子を作製する動作を実行させる印刷システムのプログラムであって、
後処理の設定情報を取得する設定情報取得ステップと、
前記設定情報取得ステップで取得した前記設定情報が複数冊子作成の設定である場合に、形成された冊子を断裁したときに断裁後の複数の冊子がそれぞれ、同一の冊子となるように、用紙に対する画像データの配置及び用紙束に対する前記後処理の処理位置を決定する位置決定ステップと、
前記位置決定ステップで決定した画像データの配置に基づいて用紙に画像形成する画像形成ステップと、
画像形成した用紙を束ねて用紙束を形成し、形成した用紙束に、前記位置決定ステップで決定した処理位置に基づいて、後処理を行う後処理ステップと、
を前記コンピュータに実行させることを特徴とする印刷システムのプログラム。
【請求項８】
前記位置決定ステップにおいては、
断裁後の複数の冊子における、断裁面と前記後処理の処理位置との位置関係が同一となるように、用紙に対する画像データの配置を行うことを特徴とする請求項７に記載の印刷システムのプログラム。
【発明の詳細な説明】
【技術分野】
【０００１】
本発明は、画像形成した用紙を束ねて冊子を作製する印刷システム及び印刷システムのプログラムに関する。
【背景技術】
【０００２】
印刷物に製本処理を行って冊子を作製する際には、１枚の印刷用紙の表、裏に複数ページ分の原稿画像を面付けして印刷し、その印刷した印刷物に、折り曲げたり断裁したりした後処理を行った後、糊付けして製本することが行われている。
【０００３】
例えば特許文献１に開示されている製本方法では、１枚の用紙に複数の画像印刷し、その用紙を折り畳んで折り丁を作成して糊付け製本を行うものである。そして製本後に各原稿画像がその原稿ページ順及び方向が正しく配置されるように、予め複数ページ分の原稿画像を配置した印刷を行っている。
【０００４】
また、特許文献２に開示されている印刷製本方法は、複数の冊子を作製する場合、ロール紙に同一画像を冊子数分だけ複数繰り返し印刷し、その後に断裁して、断裁した用紙で冊子を作製するものである。
【特許文献１】特開昭５９−９６９９８号公報
【特許文献２】特開平５−２０８５７３号公報
【発明の開示】
【発明が解決しようとする課題】
【０００５】
特許文献１に記載の製本方法では、印刷された１枚の用紙に後処理を行うことにより１冊の製本を作成するものである、複数冊を同時に作成するものではない。
【０００６】
また特許文献２に記載の印刷製本方法では、同一画像を繰り返し印刷し、その後に断裁処理して、束ねて冊子を作製するものであり、多数の冊数を大量に形成することができるメリットはあるが、一方で少数冊数の製本を行う場合には、時間とコストがかかり不向きである。
【０００７】
本願発明は上記問題に鑑み、少数冊数の製本を容易に行うことが可能な印刷システムを提供することを目的とする。
【課題を解決するための手段】
【０００８】
１．画像データに基づいて用紙に画像を形成する画像形成手段と、
前記画像形成手段で画像形成された用紙を束ねて用紙束を形成し、形成した用紙束に後処理を行って冊子を作製する後処理手段と、
ユーザが後処理の設定を行う入力手段と、
制御手段と、を有し
前記制御手段は、前記入力手段により設定された後処理が、複数冊子作成の設定である場合には、
形成された冊子を断裁したときに断裁後の複数の冊子がそれぞれ、同一の冊子となるように、用紙に対する画像データの配置及び用紙束に対する前記後処理の処理位置を制御することを特徴とする印刷システム。
【０００９】
２．前記後処理手段は、用紙束の端部にステイプル処理する平綴じ手段であることを特徴とする前記１に記載の印刷システム。
【００１０】
３．前記後処理手段は、折り目を付けた用紙束を形成し、該折り目付近にステイプル処理する中綴じ手段であることを特徴とする前記１に記載の印刷システム。
【００１１】
４．前記後処理手段は、折り目を付けた用紙束を形成する中折り手段であることを特徴とする前記１に記載の印刷システム。
【００１２】
５．前記後処理手段は、用紙束の一方の端面に糊を塗布し、塗布した面に表紙を貼り付ける糊付け製本手段であることを特徴とする前記１に記載の印刷システム。
【００１３】
６．前記制御手段は、断裁後の複数の冊子における、断裁面と前記後処理の処理位置との位置関係が同一となるように、用紙に対する画像データの配置を行うことを特徴とする前記１乃至５のいずれかに記載の印刷システム。
【００１４】
７．画像データに基づいて用紙に画像を形成する画像形成手段と、
前記画像形成手段で画像形成された用紙を束ねて用紙束を形成し、形成した用紙束に後処理を行って冊子を作製する後処理手段と、
後処理の設定情報を取得する設定入力手段と、
を有する印刷システムに対し、コンピュータを利用して冊子を作製する動作を実行させる印刷システムのプログラムであって、
後処理の設定情報を取得する設定情報取得ステップと、
前記設定情報取得ステップで取得した前記設定情報が複数冊子作成の設定である場合に、形成された冊子を断裁したときに断裁後の複数の冊子がそれぞれ、同一の冊子となるように、用紙に対する画像データの配置及び用紙束に対する前記後処理の処理位置を決定する位置決定ステップと、
前記位置決定ステップで決定した画像データの配置に基づいて用紙に画像形成する画像形成ステップと、
画像形成した用紙を束ねて用紙束を形成し、形成した用紙束に、前記位置決定ステップで決定した処理位置に基づいて、後処理を行う後処理ステップと、
を前記コンピュータに実行させることを特徴とする印刷システムのプログラム。
【００１５】
８．前記位置決定ステップにおいては、
断裁後の複数の冊子における、断裁面と前記後処理の処理位置との位置関係が同一となるように、用紙に対する画像データの配置を行うことを特徴とする前記７に記載の印刷システムのプログラム。
【発明の効果】
【００１６】
本願発明によれば、少数冊数の製本を容易に行うことが可能な印刷システムを提供することが可能となる。
【発明を実施するための最良の形態】
【００１７】
本発明を実施の形態に基づいて説明するが、本発明は該実施の形態に限られない。
【００１８】
図１は、画像形成装置Ａ、後処理装置Ｂを備えた印刷システムの全体構成図である。
【００１９】
図示の画像形成装置Ａは、タンデム型カラー画像形成装置と称せられるもので、画像形成部Ａ１、スキャナー部１、操作表示部２、自動原稿送り装置Ｄを有する。
【００２０】
画像形成部Ａ１は電子写真付方式により画像形成するものであり、画像書き込み部３、複数組の画像作成部４Ｙ（イエロー）、４Ｍ（マゼンタ）、４Ｃ（シアン）、４Ｋ（ブラック）と、ベルト状の中間転写体４２と給紙トレイ５、給紙部６、定着装置７、排紙部８、自動両面コピー給紙部９を有する。
【００２１】
画像形成装置Ａの上部には、自動原稿送り装置Ｄ（ＡＤＦ）が搭載されている。画像形成装置Ａの図示左側面の排紙部８側には、後処理装置Ｂが連結されている。
【００２２】
自動原稿送り装置Ｄの原稿台上に載置された原稿は矢印方向に搬送されスキャナー部１の光学系により原稿の片面又は両面の画像が読み取られ、ＣＣＤイメージセンサ１Ａに読み込まれる。
【００２３】
ＣＣＤイメージセンサ１Ａにより光電変換されたアナログ信号は、メモリ制御部において、アナログ処理、Ａ／Ｄ変換、シェーディング補正、画像圧縮処理等を行った後、画像書き込み部３に信号を送る。
【００２４】
画像書き込み部３においては、半導体レーザからの出力光が画像作成部４の感光体ドラム４１に照射され、潜像を形成する。画像作成部４においては、帯電、露光、現像、転写、分離、クリーニング等の処理が行われる。給紙トレイ５から給紙手段６により搬送された用紙Ｓは転写手段４３により画像が用紙Ｓに転写される。画像を担持した用紙Ｓは、定着装置７により定着され、排紙部８から後処理装置Ｂに送り込まれる。
【００２５】
用紙Ｓの両面に画像形成する場合には、搬送路切り替えゲートＧ０により片面の画像形成を行った後に、定着装置７と通過した直後に下方に搬送されて自動両面コピー給紙部９に送り込まれ表裏反転された後に再び画像作成部４において両面画像処理後、排紙部８から排出され、後処理装置Ｂにおいて、後処理が行われる。
【００２６】
操作表示部２は、液晶（ＬＣＤ）パネルに対してタッチスクリーンを重ねて配置したタッチパネルを備える。ユーザは、操作表示部２を通じて各種設定を入力あるいは選択することにより、印刷条件や、以下に説明する後処理装置での後処理の設定情報を入力することができる。
【００２７】
図２は、後処理装置Ｂの一の実施態様としてのフィニッシャ装置Ｂ１を示す図である。フィニッシャ装置Ｂ１は画像形成装置Ａから搬出された用紙Ｓの入口部１１が画像形成装置Ａの排紙部８と合致するよう位置と高さを調節して設置されている。
【００２８】
入口部１１の入口部ローラ対１２の用紙搬送下流に接続する用紙Ｓの搬送路は、上段の第１搬送路ｒ１と中段の第２搬送路ｒ２及び下段の第３搬送路ｒ３の３系統に分岐されていて、切り替えゲートＧ１、Ｇ２の角度を切り換えることに用紙Ｓがいずれかの搬送路に給送される。
【００２９】
（１）処理無しモード（第１搬送路ｒ１）
画像形成装置Ａから排出された画像形成済みの用紙Ｓは、入口部１１に導入され、入口部ローラ対１２により搬送される。用紙Ｓは上方の第１の切り替えゲートＧ１の右方の通路１３を通過して、上方の搬送ローラ対１４及び搬送ローラ対１５に挟持されて上昇搬送され、更に排出ローラ対１６に挟持されて機外上部の固定排紙皿８１上に排出され、順次積載される。
【００３０】
この用紙搬送工程では、切り替えゲートＧ１はソレノイドＤ１の駆動により揺動され、通路１７を閉止し、通路１３を開放状態にして、用紙Ｓの固定排紙皿８１への通過を可能にする。
【００３１】
（２）昇降排紙皿８２、処理無しモード（第２搬送路ｒ２）
この搬送モードに設定されると、切り替えゲートＧ１はソレノイドがオフの状態で、通路１３を閉止し、通路１７を開放状態に保持し、用紙Ｓの通路１７の通過を可能にする。
【００３２】
画像形成装置Ａから排出された画像形成済みの用紙Ｓは、入口部１１、入口部ローラ対１２を通過し、切り替えゲートＧ１の下方に開放状態に形成された通路１７を通過して、搬送ローラ対１８に挟持されて、第２搬送路ｒ２である斜め下方の第２の切り替えゲートＧ２の上方の通路２１を通過して、搬送ローラ対２２に挟持され、通路２３を経て、搬送ローラ対２４に挟持され、排出ローラ対２６により排出され、大量の用紙を収納可能な昇降排紙皿８２上に積載される。
【００３３】
（３）端ステイプル処理（第３搬送路ｒ３）
端ステイプル処理又は中ステイプル処理を施す用紙Ｓは、画像形成装置Ａ内で画像形成処理されて、フィニッシャ装置Ｂ１の入口部１１に送り込まれ、入口部ローラ対１２、第１の切り替えゲートＧ１の下方の通路１７を通過して、搬送ローラ対１８に挟持されて、第３搬送路ｒ３に搬送される。
【００３４】
第３搬送路ｒ３において、用紙Ｓは、切り替えゲートＧ２の下方の通路３１を通過して、下流の搬送ローラ対３２により挟持、搬送される。用紙Ｓは、更に下流の搬送ローラ対３４により挟持されて送り出され、第１集積部３０の傾斜配置された中間スタッカ３５の上方空間に排出され、中間スタッカ３５又は中間スタッカ３５上に積載された用紙Ｓの上面に接し、滑走上昇したのち、搬送ローラ対３４から用紙Ｓの進行方向後端部が排出されたのちには、用紙Ｓの自重により下降に転じ、中間スタッカ３５の傾斜面上を滑落し、ステイプル部５０近傍の端綴じ用可動ストッパ部材（以下、端綴じストッパと称す）５１の用紙突き当て面に用紙Ｓの進行方向先端部が当接して停止する。
【００３５】
３６は中間スタッカ３５の両側面に移動可能に設けた一対の上流側幅整合手段である。上流側幅整合手段３６は用紙搬送方向と直交する方向に移動可能であり、用紙Ｓが中間スタッカ３５上に排出される用紙受け入れ時には、用紙幅より広く開放され、中間スタッカ３５上を搬送されて、端綴じストッパ５１に当接して停止するときには、用紙Ｓの幅方向の側縁を軽打して用紙束の幅揃え（幅整合）を行う。
【００３６】
この停止位置において、中間スタッカ３５上に所定枚数の用紙Ｓが積載、整合されると、ステイプル部５０により綴じ合わせ処理が行われ、用紙束が綴じ合わされる。
【００３７】
前記中間スタッカ３５の用紙積載面の一部には、駆動プーリ３７Ａと従動プーリ３７Ｂに巻回された複数の排出ベルト３８が回動可能に配置されている。ステイプル処理された用紙束は、排出ベルト３８の排出爪３８ａにより用紙Ｓの後端部を保持されて、排出ベルト３８上に載せられ、中間スタッカ３５の載置面上を滑走して斜め上方に押し上げられ、排出ローラ対２６のニップ位置に進行する。回転する排出ローラ対２６に挟持された用紙束は、昇降排紙皿８２上に排出、積載される。
【００３８】
（４）表紙給紙（第４搬送路ｒ４）
表紙給紙手段４０は、表紙載置部４１、表紙送り部４２から構成されている。
【００３９】
表紙給紙手段４０から給紙された１枚の表紙Ｋは、通路４３を通過して、搬送ローラ対１４の他のニップ位置を通過し、通路１９、搬送ローラ対１８を通過した後、第３搬送路ｒ３の搬送ローラ対３２、通路３３、搬送ローラ対３４を経て、中間スタッカ３５上に到達する。
【００４０】
（５）ステイプル処理（第５搬送路ｒ５）
ステイプル部５０は、上部機構５０Ａと下部機構５０Ｂとの２分割構造に構成され、その中間に、用紙Ｓが通過可能な通路５２を形成している。
【００４１】
ステイプル部５０は、用紙搬送方向に直交する方向に２組配置され、図示しない駆動手段により、用紙搬送方向に直交する方向に移動可能である。このステイプル部５０により、後処理の設定条件に応じて、用紙幅方向の任意の箇所に綴じ針ＳＰを打つことができる。
【００４２】
中綴じモードに設定され、表紙Ｋ及び用紙Ｓのサイズ（搬送方向の長さ）が設定又は検知されると、中綴じ用可動ストッパ部材（以下、中綴じストッパと称す）５３は所定位置に移動して停止する。中綴じストッパ５３の起動に連動して端綴じストッパ５１が退避し、通路５２を開放する。
【００４３】
表紙Ｋが中間スタッカ３５上の所定位置に載置された後、画像形成装置Ａから搬出された用紙Ｓが、フィニッシャ装置Ｂ１の入口搬送部１０から第３搬送路ｒ３を通過して、中間スタッカ３５上に載置された表紙Ｋの上面に順次積載され、用紙Ｓの端部が中綴じストッパ５３に当接して位置決めされる。５６はステイプル処理時に用紙Ｓの幅方向を規制する下流側幅整合手段であり、前記上流側幅整合手段３６と同様に１枚の用紙Ｓが搬入される都度、用紙Ｓの幅方向の側端を叩いて幅整合を行う。
【００４４】
また、ステイプル処理時に、中間スタッカ３５上を搬送してステイプル部５０の上流側を進行する用紙Ｓに対して、用紙Ｓが中綴じストッパ５３に突き当たる頃を見計らって、上流側幅整合手段３６と下流側幅整合手段５６とを同時に作動させて、用紙幅整合を行って用紙揃えする。
【００４５】
このようにして、中間スタッカ３５上を進行し、ステイプル部５０を中心にして上流側と下流側に亘って延長して積載される用紙Ｓ及び表紙Ｋは、上流側幅整合手段３６と下流側幅整合手段５６とにより、用紙Ｓの全長に亘り正確に幅整合される。
【００４６】
最終の用紙Ｓが中間スタッカ３５上に位置決め載置された後、表紙Ｋと用紙Ｓの全頁とから成る用紙束にステイプル部５０によるステイプル処理を行う。ステイプル処理は用紙束の端部、あるいは表紙及び用紙Ｓの搬送方向の中央部に、綴じ針ＳＰを打ち込むことにより行う。後者を特に中綴じ処理ともいう。綴じ針ＳＰは打ち込み駆動側を有する下部機構５０Ｂから、クリンチ側を有する上部機構５０Ａに向けて打ち込まれる。
【００４７】
（６）二つ折り処理（第６搬送路ｒ６）
ステイプル処理後、中綴じストッパ５３が揺動して、通路５２の下流の通路を開放する。ステイプル処理された表紙と用紙Ｓから成る用紙束は、湾曲した通路と中間搬送ローラ対６１を通過して斜め下方の搬送ベルト６２によりガイド板６３に案内されて搬送され、更に、第２集積部（スタック台）６４上を搬送されて、折り部可動ストッパ手段６５に用紙束の搬送方向の先端部が当接して、所定位置に停止する。折り部可動ストッパ手段６５は用紙サイズの設定又は検知と駆動手段により所定位置に移動可能である。
【００４８】
折り手段６０は、用紙突き出し手段６６、折りローラ６７、搬送ベルト６８、加圧ローラ６９等から構成されている。
【００４９】
二つ折り開始信号により、用紙突き出し手段６６の突き出し板６６Ａが斜め上方に直進して、突き出し板６６Ａの先端部は、表紙Ｋと用紙Ｓから成る用紙束の中央部を押し上げ、用紙束を介して折りローラ６７のニップ部を押し広げて揺動、離間させる。
【００５０】
突き出し板６６Ａの先端部が前記ニップ部を通過後、突き出し板６６Ａが後退して、用紙束の中央部は、折りローラ６７により挟圧されて、折り目部が形成される。この折り目部は、前述のステイプル処理による用紙束への綴じ針の打ち込み位置と一致する。この中綴じ、中折り処理は、最大１６枚（６４ページ）の用紙を処理可能とする。また中折り処理可能な、用紙サイズは幅１８２ｍｍ〜３２４ｍｍ、長さ（用紙搬送方向）２５７ｍｍ〜４６０ｍｍである。
【００５１】
回転する一対の折りローラ６７により挟圧されて折り目部を形成された用紙束の中央部は、一対の搬送ベルト６８に挟持されて搬送され、一対の加圧ローラ６９のニップ位置に送り込まれ、この位置で折り目部が更にしっかり付けられた後、冊子排出部１００に排出される。
【００５２】
図３は、後処理装置Ｂの他の実施態様としての製本装置Ｂ２を示す図である。製本装置Ｂ２では、くるみ製本処理を行う。画像形成装置Ａから送り込まれた用紙Ｓ（以下本身用紙Ｓ１と称す）を複数枚束ねて用紙の束とし、当該束に表紙用紙Ｓ２を接合して表紙により本身用紙Ｓ１の束をコの字状に覆い、冊子を作製する。後処理装置Ｂは用紙反転部１４０、集積部１５０、塗布部１６０、断裁部１７０、用紙束に表紙を接合する接合部１９０を有し、更に搬送部１１０、排紙皿８３、表紙収納部１８０、冊子排出部１００を有する。画像形成装置Ａから製本装置Ｂ２へ搬送されてきた本身用紙Ｓ１は、搬送部１１０に設けられた切り替えゲートＧ１１により、排出路１１２を経て排紙皿８３に排出されるか又は用紙反転部１４０に搬送される。排紙皿８３には、製本装置Ｂ２においてくるみ製本処理しない場合に本身用紙Ｓ１が排出される。
【００５３】
製本装置Ｂ２においてくるみ製本処理を実行する場合、本身用紙Ｓ１は搬送路１１３を経て用紙反転部１４０に搬送され、用紙反転部１４０においてスイッチバックした後に、集積部１５０に搬送される。集積部１５０において設定枚数の本身用紙Ｓ１が集積され、本身用紙Ｓ１が設定枚数に到達すると集積部１５０が回転し、本身用紙Ｓ１の束がほぼ垂直状態で保持される。そして本身用紙Ｓ１の束の背部である下面（貼付面ともいう）に塗布部１６０によって接着剤が塗布され、本身用紙Ｓ１の束に表紙用紙Ｓ２が接触し接着される。本身用紙Ｓ１の束に表紙用紙Ｓ２が接着されて作成された冊子ＳＤ（くるみ本とも称す）は本排出部１１０に排出される。表紙用紙Ｓ２が大きすぎる場合には断裁部１７０で適正な長さになるよう断裁を行う。
【００５４】
くるみ製本処理が可能な本身用紙のサイズは、幅１５０〜３０７ｍｍ、長さ（用紙搬送方向）１４０〜２２１ｍｍである。
【００５５】
図４は、印刷システムで作成した各種冊子の斜視図である。図４（ａ）は、ステイプル部５０において用紙束の端部にステイプルＳＰが打針されて平綴じされた冊子（製本物）ＳＡの斜視図である。図４（ｂ）は、中折り処理とステイプル処理とが行われた冊子ＳＢ（製本物）の斜視図である。図４（ｃ）は、２枚の用紙を折り手段６０において中折りして折り目を付けた冊子ＳＣの斜視図である。図４（ｄ）は、製本装置Ｂ２により用紙束Ｓ１に表紙Ｓ２を接着した冊子ＳＤ（製本物）の斜視図である。
【００５６】
図５は、本実施形態における印刷システムのネットワーク図である。印刷システムＲと端末装置Ｐとは、ネットワークＮを介して接続されている。端末装置Ｐに組み込まれている印刷システムＫのプリンタドライバソフトウェアを使用することにより後処理の設定等の印刷条件の設定を行うことができる。そして当該端末装置Ｐ及び前述の操作表示部２が、ユーザが後処理の設定を行う入力手段として機能する。
【００５７】
図６は、本実施形態に係る印刷システムの制御系のブロック図である。画像形成装置Ａは状態管理部ｃ１００、スキャナー部ｃ１２０、ＡＤＦ制御部ｃ１３０、操作制御部ｃ１４０及びプリンタ制御部ｃ１５０を有する。
【００５８】
状態管理部ｃ１００は画像形成装置Ａ全体を制御するとともに、画像データの処理を行うものであり、読み取り処理部ｃ１０１、ＤＲＡＭ制御ＩＣ  ｃ１０３、画像制御ＣＰＵｃ１０２、プログラムメモリｃ１０４、システムメモリｃ１０５、不揮発メモリｃ１０６、書き込み制御部ｃ１０８、圧縮／伸長ＩＣｃ１０９及び入出力インタフェースｃ１１０を有する。当該状態管理部ｃ１００が制御手段として機能する。
【００５９】
読み取り処理部ｃ１０１はスキャナー部ｃ１２０からの画像データに対して変倍、階調処理等の各種の画像処理を行う。
【００６０】
画像制御ＣＰＵｃ１０２は、スキャナー制御部ｃ１２２、ＡＤＦ制御部ｃ１３０、プリンタ制御部ｃ１５２等間の同期制御を行う。
【００６１】
ＤＲＡＭ制御部ｃ１０３は画像データの書き込み／読み出し制御を行う。
【００６２】
プログラムメモリｃ１０４は画像形成装置Ａ及び画像形成システムの制御プログラムが格納されたＲＯＭ、システムメモリｃ１０５は、ワーク用のＲＡＭである。
【００６３】
不揮発メモリｃ１０６は各部の制御に用いられる各種のパラメータを格納している。
【００６４】
ｃ１０７は画像データを記憶する画像メモリであり、圧縮メモリｃ１０７Ａを有する。
【００６５】
ｃ１０８はプリンタ部ｃ１５０の露光光源であるＬＤ（レーザダイオード）を制御する書き込み制御部である。
【００６６】
ｃ１１０はＰＣ（パーソナルコンピュータ）等の外部機器と通信を行うインタフェースである。
【００６７】
スキャナー部ｃ１２０は画像を読み取って画像信号を出力するＣＣＤｃ１２１及び読取制御部ｃ１２２を有する。
【００６８】
操作表示部ｃ１４０は、表示を行うＬＣＤｃ１４１及びタッチペネルその他の操作釦ｃ１４２を有する。
【００６９】
プリンタ部ｃ１５０は、ＬＤ（レーザダイオード）で画像の書き込みを行うＬＤｃ１５１、電子写真プロセスにより画像を形成する画像作成部４Ｙその他の各部を制御するプリンタ制御部ｃ１５２及び排紙制御部ｃ１５３を有する。
【００７０】
排紙制御部ｃ１５３は用紙のフェースアップ排紙又はフェースダウン排紙の切り換えを行う。
【００７１】
後処理装置Ｂは後処理制御部ｃ２００、搬送機構ｃ２０１を有する。また後処理装置Ｂの種類に応じてステイプル部、折り部、糊付け部等を有することになる。
【００７２】
次に、図７、図８は、制御端末Ｐにおける表示画面の詳細図である。これらの図に基づいて、印刷システムでの後処理の設定手順について説明する。
【００７３】
図７に示す表示画面Ｄ２は、印刷設定の基本設定を行う画面であり、同図の用紙欄ａ１０では、用紙サイズ、給紙トレイの設定を行い、出力欄ａ２０では出力方法、排紙モード等の設定を、製本欄ａ３０では、印刷種類（片面、両面）、後処理の設定を行うことができる。同図に示す例では、後処理としてステイプル処理が選択されていることを示している。ＯＫ釦Ｄ１０を押し下げることにより選択した設定が確定する。
【００７４】
「複数冊子作成」を実行する場合には、特殊機能釦Ｄ２０を押し下げることにより、設定画面に移行する。
【００７５】
図８に示す表示画面Ｄ３は、特殊機能の設定を行う画面であり、複数冊作成を行う場合においては、チェックボックスＤ２１をＯＮして、その後冊数を選択欄Ｄ２２により選択する。同図に示す例においては、２冊同時に複数冊作成する設定となっている。またイメージ表示欄ａ５０では、完成した冊子のイメージ図を表示している。またチェックボックスＤ２３をチェックすることにより断裁面合わせを行うことができる。「複数冊作成」、及び「断裁面合わせを行った複数冊作成」、についての詳細は後述する。
【００７６】
図９は、ＪＯＢデータ及びページデータの内容を示した図である。図９のＪＯＢデータには図７、図８に示した表示画面で設定した「ステイプル位置情報」「ステイプルの綴じ方向」「複数冊子作成モードの作成枚数」等の情報が含まれている。図６に示したプログラムメモリｃ１０４に格納された制御プログラムは、図９に示したＪＯＢデータ及びページデータの内容を把握し、各種の制御を実行している。
【００７７】
図１０は、本実施形態に係る印刷システムの制御フローを示す図である。当該制御フローは、状態管理部ｃ１００により実行される。
【００７８】
ステップＳ１０では、後処理設定情報を取得する。後処理設定情報とは、主に図７、図８の表示画面を操作することによりユーザにより入力されたものであり、図９のＪＯＢデータに含まれるものである。
【００７９】
ステップＳ１０で取得した後処理情報が、図９に示したＪＯＢデータ上で２冊以上の場合には、「複数冊子作成モード」がありと判断し（ステップＳ１１のＹｅｓ）して次のステップＳ１２を実行する。一方で、「複数冊子作成モード」が無しの場合には、通常通りＪＯＢデータ、ページデータに基づいて、用紙に画像を形成して終了する。
【００８０】
なおここでいう「ページデータ」とは、用紙の表裏各ページに印刷する画像データにそのページの印刷設定のデータを付与させたものである。後処理の設定によっては、一のページデータに縮小、回転等を行った複数の画像データを合成し、その合成した画像データに基づいて用紙に画像形成する。また後処理等の設定に応じて一のページデータには、複数の画像データを配置させる場合もある。
【００８１】
ステップＳ１２では、後処理設定情報に基づいて画像データの配置及び後処理の処理位置の決定を行う。当該処理に関する詳細は後述する。なおここでいう「画像データの配置」とは、用紙の印刷面に後処理設定情報に基づいて複数の画像データを配置させることである。当該配置を行う際には画像データの回転及び拡大縮小に伴うサイズ変更を行う場合がある。また複数冊子を作製する設定であれば、冊子数分のページデータを合成して合成後のページデータを作成し、当該合成後のページデータに基づいて用紙に画像形成する。「後処理の処理位置」とは、例えば、ステイプル処理においては用紙に対するステイプルの位置、くるみ製本処理であれば用紙に対する糊付け面のことである。
【００８２】
ステップＳ１３では、ステップＳ１２で配置した画像データに基づいて用紙に画像形成を行う。
【００８３】
ステップＳ１４では、ステップＳ１３で画像形成した用紙を後処理装置Ｂの集積部（例えば第１集積部３０）で集積して用紙束を形成する。
【００８４】
ステップＳ１５では、ステップＳ１２で決定した決定した処理位置に基づいて後処理の実行を行って、終了する。以下、図面に基づいて当該処理の具体例について説明する。
【００８５】
［冊子形成工程］
図１１乃至図２３は、後処理情報の設定に基づいて、画像データを配置して冊子を作製する工程を示す図である。
【００８６】
後処理設定情報の項目としては、例えば以下の（ａ）乃至（ｄ）の種類があり、これらの組み合わせを操作表示部２等によりユーザが選択することにより後処理設定情報が設定される。
（ａ）後処理の種類としては、（ａ１）平綴じ、（ａ２）中綴じ、（ａ３）折り処理、（ａ４）くるみ製本がある。
（ｂ）綴じ方向としては、（ｂ１）左綴じ、（ｂ２）右綴じ、（ｂ３）上綴じがある。
（ｃ）断裁面揃えとしては（ｃ１）断裁面揃えあり、（ｃ２）断裁面揃え無し、がある。
（ｄ）複数冊子作成の設定冊数に関しては、２冊〜１０冊がある。
【００８７】
またこれ以外に印刷種類の設定があり。当該印刷種類の設定により用紙への画像形成面を片面、両面を切り替える。なお、これらの組み合わせによっては、同時に選択できない場合がある。例えば複数冊子作成が３冊以上の設定とした場合には、（ｃ１）断裁面揃えありを同時には選択することはできない。
【００８８】
［平綴じによる冊子作成例］
まずは平綴じ設定による冊子作成例について説明する。図１１は、複数冊子作成の設定で作成冊数が２冊、片面印刷、左平綴じ、１箇所ステイプルの後処理情報の設定において、ｎページの画像データを配置して冊子を作製する工程を示す図である。図１１（ａ）はｎページの画像データを表している。図１１（ｂ）は、図１１（ａ）に示すｎページの画像データをｎ枚の用紙Ｓ（Ｓ（１）〜Ｓ（ｎ））に二つずつ配置させた合成画像データを作成し（図９に示したページデータに相当）、当該合成画像データに基づいて画像形成したものである（図１０のステップＳ１３に相当する）。
【００８９】
なお、合成画像データのサイズと用紙のサイズ（余白等は除く）とは一致させる必要があり、一致するように図７、図８に示した表示画面を参照することによりユーザにより設定されている。
【００９０】
図１１（ｃ）は、図１１（ｂ）で画像形成した用紙を集積部に集積して用紙束を形成した状態を示している（図１０のステップＳ１４に相当する）。
【００９１】
図１１（ｄ）は、図１１（ｃ）で形成した用紙束に対して後処理を行った状態を示したものである。同図においては後処理が左平綴じ、１箇所ステイプルであり、また「複数冊子作成」の設定であり冊数が２冊であることから、後処理装置Ｂにより一の用紙束に対して２箇所にステイプルＳＰを打針している。
【００９２】
図１１（ｄ）に示す冊子は、実施形態に係る印刷システムによって作成した完成品（一次完成品）である。当該冊子を外部の断裁機等により同図に示すＣ−Ｃ線の断裁面に沿って外部の断裁機で断裁することにより、最終完成品である２冊の冊子ＳＡ１、ＳＡ２を作成することができる。また、同図から明らかなように断裁により得られる冊子ＳＡ１、ＳＡ２は同一の冊子となる。
【００９３】
このように本実施形態によれば、図１０に示すステップＳ１２で後処理設定情報に基づいて画像データの配置及び後処理の処理位置を決定し、決定した配置及び処理位置に基づいて冊子の形成を行うので、形成された冊子を断裁することにより容易に複数冊の製本を得ることができる。
【００９４】
また、前述のとおりフィニッシャ装置Ｂ１、くるみ製本装置Ｂ２で使用可能な最小の用紙のサイズは、機械の構成により制約を受ける。この制約により第１次完成品で可能な冊子の最小サイズが決まる。本実施形態においては、第１次完成品を複数に断裁することにより最終完成品の冊子を作製するので、機械の構成の制約よりも、より小サイズの冊子を作製することが可能となる。
【００９５】
図１２は、複数冊子作成の設定で作成冊数が２冊、片面印刷、左平綴じ、１箇所ステイプル、断裁面揃えありの後処理情報の設定において、ｎページの画像データを配置して冊子を作製する工程を示す図である。前述の図１１とは後処理情報の設定において断裁面揃えありの点で相違する。図１２（ｂ）では、図１２（ａ）に示すｎページの画像データをｎ枚の用紙に二つずつ配置させて合成画像データを作成し、当該合成画像データに基づいて画像形成したものであり、同図に示すように、二つずつ配置させた画像同士を上下の向きを反対にして合成している。このような配置で画像形成した用紙を集積し、図１２（ｃ）に示す用紙束を形成して、当該用紙束に対して後処理を行って作成した冊子を示したものが図１２（ｄ）である。
【００９６】
図１２（ｄ）に示すように、図１１（ｄ）に示した冊子と異なり、画像の配置変更に対応させてステイプルＳＰの処理位置も変更させている。図１１（ｄ）に示す冊子は第１次完成品であり、当該冊子を外部の断裁機等により同図に示すＣ−Ｃ線が断裁面であり当該断裁面に沿って外部の断裁機で断裁することにより、最終完成品である２冊の冊子ＳＡ１、ＳＡ２を作成することができる。また、断裁により得られる冊子ＳＡ１、ＳＡ２は同一の冊子となる。更に、得られた冊子ＳＡ１、ＳＡ２において両冊子共に断裁面が右側が見開き側となるように断裁面揃えを行っている。断裁面を見開き側とすることにより見栄えが良くなるというメリットがある。例えば用紙束の揃えが上手くいかなかった場合には冊子の端面が不揃いになるという問題が生じる。当該不揃いは見開き側の面では目立つことになるので、当該見開き側を断裁することにより不揃いをなくすことができるので見栄えが改善できることになる。
【００９７】
図１３は、異なる後処理設定において作成した平綴じの各種冊子を示す図であり、図１１（ｄ）に対応するものである。図１３（ａ）は、作成冊数が３冊で形成した冊子を示すものであり、その他の設定は図１１に示した条件と同一である。Ｃ１−Ｃ１線及びＣ２−Ｃ２線が断裁面となる。図１３（ｂ）は、２箇所ステイプルで作成した冊子であり、図１３（ｃ）は図１３（ｂ）の後処理設定対して更に「断裁面揃え」を行った冊子を示すものである。
【００９８】
［中綴じによる冊子作成例］
次ぎに中綴じ設定による冊子作成例について説明する。図１４は、複数冊子作成の設定で作成冊数が２冊、両面印刷、中綴じ、２箇所ステイプルの後処理情報の設定において、全８ページの画像データを配置して冊子を作製する工程を示す図である。図１４（ａ）は８ページの画像データを表している。図１４（ｂ）は、図１４（ａ）に示す８ページの画像データを２枚の用紙の両面に二つずつ配置させて、画像形成したものである（図１０のステップＳ１３に相当する）。
【００９９】
図１４（ｃ）は、図１４（ｂ）で画像形成した用紙を集積部に集積して用紙束を形成した状態を示している（図１０のステップＳ１４に相当する）。
【０１００】
図１５（ａ）は、図１４（ｃ）で形成した用紙束に対する後処理位置を説明する図である。同図においてＦ−Ｆ線は折り線であり、当該折り線に沿って折り手段６０及び綴じ手段５０により、折り処理と綴じ処理を行う中綴じ折り処理を行う。図１５（ｂ）に示す冊子は、実施形態に係る印刷システムによって作成した完成品（一次完成品）である。同図においては後処理が左中綴じ、２箇所ステイプルであり、また「複数冊子作成」の設定であり冊数が２冊であることから、後処理装置Ｂにより一の用紙束に対して４箇所にステイプルＳＰを打針している。
【０１０１】
図１５（ｂ）に示す冊子を外部の断裁機等により図１５（ａ）に示すＣ−Ｃ線の断裁面に沿って外部の断裁機で断裁することにより、最終完成品である２冊の冊子ＳＢ１、ＳＢ２を作成することができる。また、同図から明らかなように断裁により得られる冊子ＳＢ１、ＳＢ２は同一の冊子となる。
【０１０２】
図１６は図１５に対応するものであり、「断裁面揃えあり」の後処理設定で冊子を作製するものである。図１６（ｂ）に示す冊子を外部の断裁機等により図１６（ａ）に示すＣ−Ｃ線の断裁面に沿って外部の断裁機で断裁することにより、最終完成品である２冊の冊子ＳＢ１、ＳＢ２を作成することができる。また、２冊の冊子ＳＢ１、ＳＢ２では、同図から明らかなように断裁により得られる冊子ＳＢ１、ＳＢ２は断裁面も含めて同一の冊子となる。
【０１０３】
図１７乃至図１９は、異なる後処理設定において作成した冊子を示す図であり、図１５に対応するものである。図１７は、作成冊数が３冊で形成した冊子を示すものであり、その他の設定は図１５に示した条件と同一である。Ｃ１−Ｃ１線及びＣ２−Ｃ２線が断裁面となる。図１８は右中綴じの設定で作成した冊子であり、図１９は上中綴じの設定で作成した冊子であり、それぞれ見開き方向が異なっている。その他の設定は図１５に示した条件と同一である。
【０１０４】
［くるみ製本処理による冊子作成例］
続いてくるみ製本処理に冊子作成例について説明する。図２０は、複数冊子作成の設定で作成冊数が２冊、両面印刷、くるみ製本、左綴じ、での後処理情報の設定において、全１０ページの画像データを配置して冊子を作製する工程を示す図である。図２０（ａ）は１０ページの画像データを表している。図２０（ｂ）は、図２０（ａ）に示す１０ページの画像データを２枚の用紙の両面に二つずつ配置させて、画像形成したものである（図１０のステップＳ１３に相当する）。
【０１０５】
図２０（ｃ）は、図２０（ｂ）で画像形成した用紙を集積部１５０に集積して用紙束を形成した状態を示している（図１０のステップＳ１４に相当する）。
【０１０６】
図２１（ａ）は、図２０（ｃ）で形成した用紙束に対する後処理位置を説明する図である。同図においてＢ−Ｂ線は表紙を貼り付ける貼付面であり、当該貼付面にくるみ製本装置Ｂ２により図２１（ｂ）に示す表紙が貼り付けられる。図２１（ｃ）に示す冊子は、実施形態に係る印刷システムによって作成した完成品（一次完成品）である。図２０（ｃ）に示す冊子を外部の断裁機等により図２１（ａ）に示すＣ−Ｃ線の断裁面に沿って外部の断裁機で断裁することにより、最終完成品である２冊の冊子ＳＤ１、ＳＤ２を作成することができる。また、同図から明らかなように断裁により得られる冊子ＳＤ１、ＳＤ２は同一の冊子となる。
【０１０７】
図２２は、複数冊子作成の設定で作成冊数が２冊、両面印刷、くるみ製本、左綴じ、断裁面揃えあり、の後処理情報の設定において、全１０ページの画像データを配置して冊子を作製する工程を示す図である。前述の図２０とは後処理情報の設定において断裁面揃えありの点で相違する。
【０１０８】
図２２（ａ）は１０ページの画像データを表している。図２２（ｂ）は、図２２（ａ）に示す１０ページの画像データを２枚の用紙の両面に二つずつ配置させて、画像形成したものである（図１０のステップＳ１３に相当する）。前述の図１１乃至図２１に示す例では、同一のページには一の画像データを冊数分繰り返して配置させていたが、図２２（ｂ）においては同一ページに配置される画像データは同一ではない。
【０１０９】
図２２（ｃ）は、図２２（ｂ）で画像形成した用紙を集積部１５０に集積して用紙束を形成した状態を示している（図１０のステップＳ１４に相当する）。
【０１１０】
図２３（ａ）は、図２２（ｃ）で形成した用紙束に対する後処理位置を説明する図である。同図においてＢ−Ｂ線は表紙を貼り付ける貼付面であり、当該貼付面にくるみ製本装置Ｂ２により図２３（ｂ）に示す表紙が貼り付けられる。図２３（ｃ）に示す冊子は、実施形態に係る印刷システムによって作成した完成品（一次完成品）である。図２３（ｃ）に示す冊子を外部の断裁機等により図２３（ａ）に示すＣ−Ｃ線の断裁面に沿って外部の断裁機で断裁することにより、最終完成品である２冊の冊子ＳＤ１、ＳＤ２を作成することができる。また、２冊の冊子ＳＤ１、ＳＤ２では、同図から明らかなように断裁により得られる冊子ＳＢ１、ＳＢ２は断裁面も含めて同一の冊子となる。
【図面の簡単な説明】
【０１１１】
【図１】画像形成装置Ａ、後処理装置Ｂを備えた印刷システムの全体構成図である。
【図２】後処理装置Ｂの一の実施態様としてのフィニッシャ装置Ｂ１を示す図である。
【図３】後処理装置Ｂの他の実施態様としての製本装置Ｂ２を示す図である。
【図４】印刷システムで作成した各種冊子の斜視図である。
【図５】本実施形態に係る印刷システムのネットワーク図である。
【図６】本実施形態に係る印刷システムの制御系のブロック図である。
【図７】制御端末Ｐにおける表示画面の詳細図である。
【図８】制御端末Ｐにおける表示画面の詳細図である。
【図９】ＪＯＢデータ及びページデータの内容を示した図である。
【図１０】本実施形態に係る印刷システムの制御フローを示す図である。
【図１１】平綴じの冊子を作製する工程を示す図である。
【図１２】平綴じの冊子を作製する工程を示す図である。
【図１３】平綴じの各種冊子を示す図である。
【図１４】中綴じの冊子を作製する工程を示す図である。
【図１５】中綴じの冊子を作製する工程を示す図である。
【図１６】中綴じの冊子を作製する工程を示す図である。
【図１７】中綴じの冊子を作製する工程を示す図である。
【図１８】中綴じの冊子を作製する工程を示す図である。
【図１９】中綴じの冊子を作製する工程を示す図である。
【図２０】くるみ製本の冊子を作製する工程を示す図である。
【図２１】くるみ製本の冊子を作製する工程を示す図である。
【図２２】くるみ製本の冊子を作製する工程を示す図である。
【図２３】くるみ製本の冊子を作製する工程を示す図である。
【符号の説明】
【０１１２】
Ａ  画像形成装置
Ｂ  後処理装置
Ｂ１  フィニッシャ装置
５０  ステイプル部
Ｂ２  製本装置
２  操作表示部
１０  入口搬送部
３０  第１集積部
４０  表紙給紙手段
６０  折り手段
１００  冊子排出部
ＳＡ、ＳＢ、ＳＣ、ＳＤ  冊子
【図１】
2010001090.tif 000003
【図２】
2010001090.tif 000004
【図３】
2010001090.tif 000005
【図４】
2010001090.tif 000006
【図５】
2010001090.tif 000007
【図６】
2010001090.tif 000008
【図７】
2010001090.tif 000009
【図８】
2010001090.tif 000010
【図９】
2010001090.tif 000011
【図１０】
2010001090.tif 000012
【図１１】
2010001090.tif 000013
【図１２】
2010001090.tif 000014
【図１３】
2010001090.tif 000015
【図１４】
2010001090.tif 000016
【図１５】
2010001090.tif 000017
【図１６】
2010001090.tif 000018
【図１７】
2010001090.tif 000019
【図１８】
2010001090.tif 000020
【図１９】
2010001090.tif 000021
【図２０】
2010001090.tif 000022
【図２１】
2010001090.tif 000023
【図２２】
2010001090.tif 000024
【図２３】
2010001090.tif 000025